(57)【特許請求の範囲】
【請求項１】
所定の音響刺激に伴う瞳孔反応を検査する音響性瞳孔反応検査システムであって、
所定の音響刺激を生成する音響刺激生成手段と、
この音響刺激を被験者の耳に伝達する音響刺激伝達手段と、
被験者の頭部が定位置に位置決め保持される位置決めホルダと、
この位置決めホルダにて位置決めされた被験者の眼球の動きを撮像する眼球撮像手段と、
前記位置決めホルダにて位置決めされた被験者の眼球位置の照度が調整可能な照度調整手段と、
前記眼球撮像手段からの眼球画像に基づいて眼球の瞳孔変化を解析する瞳孔変化解析手段と、
この瞳孔変化解析手段にて解析される瞳孔変化情報及び前記音響刺激生成手段にて生成される音響刺激情報を関連付けて記録する記録手段と、
この記録手段にて記録された音響刺激情報、この音響刺激情報に関連付けられた瞳孔変化情報、及び、これらに基づいて音響性瞳孔反応の検査結果を表示する表示手段と、を備え、
前記眼球撮像手段は少なくとも被験者の両眼球に対して非対向配置されると共にハーフミラーを介して被験者の両眼球を撮像可能であり、両眼球に対向するハーフミラーの透過部位に白色板を配置したことを特徴とする音響性瞳孔反応検査システム。
【請求項２】
請求項１記載の音響性瞳孔反応検査システムにおいて、
眼球撮像手段は被験者の眼球前に装着可能なゴーグルに設けられていることを特徴とする音響性瞳孔反応検査システム。
【請求項３】
請求項１記載の音響性瞳孔反応検査システムにおいて、
眼球撮像手段で撮像した眼球画像が表示可能な眼球画像表示手段を備えていることを特徴とする音響性瞳孔反応検査システム。
【請求項４】
請求項１記載の音響性瞳孔反応検査システムにおいて、
表示手段に表示される音響性瞳孔反応の検査結果が評価可能な評価手段を備えていることを特徴とする音響性瞳孔反応システム。
【発明の詳細な説明】
【技術分野】
【０００１】
本発明は、音響刺激を伴う瞳孔反応を検査する音響性瞳孔反応検査システムに係り、特に、基礎医学や臨床医学において適用可能な自律神経機能検査に際して有効な音響性瞳孔反応検査システムに関する。
【背景技術】
【０００２】
従来、臨床医学において、めまい検査なかでも自律神経機能検査は起立動作時の血圧検査や心電図変化など循環器系検査が主体であり、この種の自律神経機能検査には音響刺激に伴う瞳孔反応（音響性瞳孔反応）はほとんど臨床応用されていない。
この種の音響性瞳孔反応については、眼科用の赤外線電子瞳孔計（イリスコーダー：Iriscorder）を利用して音響刺激に伴う瞳孔反応が存在することは既に確認されている（例えば非特許文献１参照）。
また、被験者の頭部に装着可能なゴーグル内に撮像カメラを設け、この撮像カメラにて被験者の眼球の動きを撮像すると共に、撮像された眼球画像に基づいて眼球運動データを表示可能とした技術も既に提案されている（例えば特許文献１参照）。
【０００３】
【非特許文献１】耳鼻と臨床２４巻２号１９７８年３月「他覚的聴力検査としての音響性瞳孔反応の基礎的問題について」１７１頁〜１８１頁
【特許文献１】特開２００３−３１９９０７号公報（発明の実施の形態，図２）
【発明の開示】
【発明が解決しようとする課題】
【０００４】
ところで、前述した起立負荷による自律神経機能検査は症状の強い被験者に対し施行すると意識消失やそれに伴う転倒事故を時に生じる虞れがあり、全ての被験者に対して施行することは難しかった。また、検査時間も一人２０分から３０分程度を必要とし、多くの被験者への対応が適わなかった。
更に、この種の自律神経機能検査に前述した音響性瞳孔反応を利用する場合、非特許文献１のイリスコーダーや特許文献１の撮像カメラ付きゴーグルを使用するようにすれば、音響性瞳孔反応がどのように生じているかをリアルタイムで測定することは可能かも知れない。
しかしながら、音響刺激と関連付けて音響性瞳孔反応変化を測定・解析することはできず、自律神経機能検査としての検査結果として十分な情報を収集することができない。
【０００５】
本発明の技術的課題は、被験者に過度なストレスを与えずに音響性瞳孔反応検査を効率的に行うことが可能な音響性瞳孔反応検査システムを提供することにある。
【課題を解決するための手段】
【０００６】
本発明は、図１に示すように、所定の音響刺激に伴う瞳孔反応を検査する音響性瞳孔反応検査システムであって、所定の音響刺激を生成する音響刺激生成手段１と、この音響刺激を被験者Ｍの耳に伝達する音響刺激伝達手段２と、被験者Ｍの頭部が定位置に位置決め保持される位置決めホルダ７と、この位置決めホルダ７にて位置決めされた被験者Ｍの眼球の動きを撮像する眼球撮像手段３と、前記位置決めホルダ７にて位置決めされた被験者Ｍの眼球位置の照度が調整可能な照度調整手段９と、前記眼球撮像手段３からの眼球画像に基づいて眼球の瞳孔変化を解析する瞳孔変化解析手段４と、この瞳孔変化解析手段４にて解析される瞳孔変化情報及び前記音響刺激生成手段１にて生成される音響刺激情報を関連付けて記録する記録手段５と、この記録手段５にて記録された音響刺激情報、この音響刺激情報に関連付けられた瞳孔変化情報、及び、これらに基づいて音響性瞳孔反応の検査結果を表示する表示手段６と、を備え、前記眼球撮像手段３は少なくとも被験者Ｍの両眼球に対して非対向配置されると共にハーフミラーを介して被験者Ｍの両眼球を撮像可能であり、両眼球に対向するハーフミラーの透過部位に白色板を配置した音響性瞳孔反応検査システムである。
【０００７】
このような技術的手段において、音響性瞳孔反応検査は、音響刺激に伴う瞳孔反応を検査するものを広く含み、代表的には自律神経機能検査（めまい検査）を始めとして、他覚的聴力検査、脳幹機能の評価検査などが挙げられる。
また、音響刺激生成手段１としては所定の音響刺激を生成するものであれば適宜選定してもよく、予め固定設定しておいてもよいし、あるいは、刺激強度や、回数などを可変設定するようにしてもよい。
更に、音響刺激伝達手段２はヘッドホンやイヤーホンなどが挙げられる。
更にまた、眼球撮像手段３としてはＣＣＤなどの撮像素子が使用される。また、眼球撮像手段３の設置場所としては被験者Ｍの眼球前の位置調整可能な可動台に設置してもよいし、被験者Ｍに装着可能なゴーグル８内に設置してもよい。
【０００８】
また、瞳孔変化解析手段４は、瞳孔変化（瞳孔径変化や瞳孔面積など）を所定のアルゴリズムにて解析するものであればよい。
更に、記録手段５しては、所定の音響刺激情報に対する瞳孔変化情報が何であるかが関連付けられていればよく、両者をまとめて格納するようにしてもよいし、あるいは、夫々の情報を別々に格納しておき、両者の格納場所を相互に関連付けるようにしてもよい。
更にまた、表示手段６としては、音響刺激情報に関連付けられた瞳孔変化情報を連続的にグラフ表示したり、間欠的にグラフ表示するなど適宜選定して差し支えない。この場合、検査結果についての評価自体は、表示手段６の表示結果を見て医師が行うようにすればよい。
【０００９】
また、眼球撮像手段３としては、少なくとも被験者Ｍの両眼球に対して非対向配置されると共にハーフミラーを介して被験者Ｍの両眼球を撮像可能であり、両眼球に対向するハーフミラーの透過部位に白色板を配置した態様が挙げられる。本態様によれば、眼球撮像手段３が被験者Ｍの両眼球と非対向配置され、被験者は両眼球に対向するハーフミラーの透過部位にある白色板を常時見ることになるため、眼球撮像手段３が被験者Ｍの視界を遮り、被験者Ｍに検査期間中に過剰なストレスを与えない。
更に、本システムにおいては、被験者Ｍの頭部が定位置に位置決め保持される位置決めホルダ７を備えている。本態様によれば、被験者Ｍの頭部が不必要に動く事態を回避することができ、頭部の不必要な振れに起因する音響性瞳孔反応への悪影響を低減することができる。
更にまた、被験者Ｍの眼球前に装着可能なゴーグル８に眼球撮像手段３を設けた態様にあっては、被験者Ｍの眼球と眼球撮像手段３との位置合わせを容易に行うことができる点で好ましい。
【００１０】
また、本システムにおいては、被験者Ｍの眼球位置の照度が調整可能な照度調整手段９を備えている。本態様によれば、検査環境照度を所定の照度（例えば１００〜１０００ｌｕｘ）に調整し、瞳孔反応を安定させることができる。
更に、本システムにおいては、眼球撮像手段３で撮像した眼球画像が表示可能な眼球画像表示手段１０を備える態様が好ましい。本態様によれば、眼球画像を表示可能とすることで、眼球の瞳孔変化を医師が目視して直接確認することができ、音響性瞳孔反応検査をより正確に評価することができる。
更にまた、本システムにおいては、表示手段６に表示される音響性瞳孔反応の検査結果が評価可能な評価手段１１を備える態様が好ましい。ここで、評価手段１１としては、音響性瞳孔反応検査に対する評価判断アルゴリズムを有し、この評価判断アルゴリズムに基づいて表示手段６の表示結果を評価するものであればよい。本態様によれば、評価手段１１による評価を参照することができるため、医師による評価作業をより簡便に行うことができる。
【発明の効果】
【００１１】
本発明によれば、所定の音響刺激を与えながら被験者の眼球の動きを撮像し、この撮像画像に基づいて眼球の瞳孔変化を解析し、音響刺激情報に関連付けて瞳孔変化情報を記録すると共に、音響刺激情報に関連付けられた瞳孔変化情報を表示するようにしたので、被験者に過度なストレスを与えずに、音響性瞳孔反応検査を効率的に行うことができる。
特に、眼球撮像手段がハーフミラーを利用することで両眼球の非対向位置に配置され、かつ、両眼球に対向するハーフミラーの透過部位に白色板が配置されることから、眼球撮像手段が被験者の視界を遮り、被験者に検査期間中に過剰なストレス与える懸念はないばかりか、更に、被験者の両眼球に対して照度調整することにより眼球の瞳孔反応を安定させることができる。
【発明を実施するための最良の形態】
【００１２】
以下、添付図面に示す実施の形態に基づいてこの発明を詳細に説明する。
◎実施の形態１
図２は本発明が適用された音響性瞳孔反応検査システムの実施の形態１の全体構成を示す。
本実施の形態において、音響刺激による瞳孔変化は音響性瞳孔反応という自律神経反応であり、本システムは例えばメニエル病などめまい患者の自律神経機能検査として有用とされる。
−本システムの全体構成−
同図において、本システムは、音響刺激発生装置２０からの音響刺激をヘッドホーン２１にて被験者Ｍに伝達する一方、被験者Ｍの眼球前にはゴーグル３０を装着すると共に、このゴーグル３０内にはＣＣＤなどの撮像素子４０（本例では４０ａ，４０ｂ）を配置し、この撮像素子４０にて被験者Ｍの眼球の動きを撮像するものである。
そして、撮像素子４０（４０ａ，４０ｂ）からの眼球画像信号は画像変換器５０を介してデジタル信号に変換された後に液晶表示装置などのモニタ装置５１に送信され、一方、中継制御装置５２を介してパーソナルコンピュータ等のコンピュータ１００に送信される。
ここで、音響刺激発生装置２０は中継制御装置５２を介してコンピュータ１００に接続されており、コンピュータ１００からの音響刺激制御信号に基づいて所定の音響刺激を発生させるものである。
また、画像変換器５０は撮像素子４０（４０ａ，４０ｂ）からの二つの眼球画像信号は合成されて一画面となり、モニタ装置５１及び中継制御装置５２へと送信される。
【００１３】
−検査環境設備−
図３は本実施の形態で用いられる被験者Ｍの検査環境設備の一例を示す。
同図において、検査環境設備は、被験者Ｍの頭部を位置決め保持するための保持テーブル７０と、この保持テーブル７０の前に置かれて被験者Ｍを着座させる椅子８０とを備えている。
ここで、保持テーブル７０は、４本の脚にて支えられる固定台７１を有し、この固定台７１の椅子８０側に位置する両側に一対の支柱７２，７３を設けると共に、この支柱７２，７３間には被験者Ｍの頭部が位置決め保持可能な位置決めホルダを設けたものである。
本例では、位置決めホルダは、支柱７２，７３間にて上下方向に移動可能なガイドバー７４，７６を所定位置にて位置決め自在に設け、下側ガイドバー７４の略中央には被験者Ｍの顎が載置可能な顎パッド７５を配置すると共に、上側ガイドバー７６の略中央には被験者Ｍの前頭部が押し付け可能な前頭部パッド７７を配置するようにしたものである。
尚、符号７８は両支柱７２，７３間にて顎パッド７５、前頭部パッド７７の前方側を湾曲状に覆う白色板であり、被験者Ｍが非注視状態を得るように配慮されている。
更に、本実施の形態では、保持テーブル７０は、被験者Ｍの眼球位置の照度が調整可能な照度調整機構９０が設けられている。この照度調整機構９０は、一方の支柱７２に設けられて被験者Ｍの眼球位置付近を照明する光源９１と、この光源９１の照度を調整する調整器９２とを備えている。尚、保持テーブル７０の固定台７１には照度計９５が置かれており、この照度計９５を使いながら、例えば被験者Ｍの眼球位置付近の照度を適正照度（例えば４００ｌｕｘ）に予め調整するようにすればよい。
【００１４】
−被験者の検査時の状態−
図４（ａ）は被験者Ｍの検査時の状態を模式的に示す。
同図において、被験者Ｍは、位置決めホルダの顎パッド７５に顎を載せ、前頭部パッド７７に前頭部を押し付けることにより、所定の姿勢に位置決め保持される。
更に、被験者Ｍは、音響刺激伝達用のヘッドホーン２１を装着すると共に、撮像素子４０が組み込まれたゴーグル３０をヘッドバンド３１にて眼球前に装着する。
特に、本実施の形態では、ゴーグル３０は、図４（ａ）（ｂ）に示すように、ゴーグル本体３２の前方に開口３３を形成したものであり、このゴーグル本体３２の内壁のうち被験者Ｍの眼球に対して非対向の位置、例えばゴーグル本体３２の上内壁にＣＣＤなどの撮像素子４０（４０ａ，４０ｂ）を固定すると共に、眼球の前方への視線位置にはハーフミラー４１を配設し、このハーフミラー４１を介して両眼球の画像を夫々の撮像素子４０（４０ａ，４０ｂ）に導くようにしたものである。
よって、本実施の形態では、位置決めホルダにて位置決め保持される被験者Ｍは、ハーフミラー４１、ゴーグル本体３２の開口３３を通じて前方の白色板７８を常時見ることになり、撮像素子４０などの障害物により目の前の視界が遮られる事態は有効に回避される。
【００１５】
−コンピュータ構成−
図５は本実施の形態で用いられるコンピュータ１００の構成例を示す。
同図において、コンピュータ１００は、演算処理実行用のＣＰＵ１０１、被験者Ｍの眼球画像から瞳孔径変化を解析し且つ表示するための画像解析プログラムや各種の音響刺激を設定するための音響刺激設定プログラムなどが予め格納されるＲＯＭ１０２、被験者Ｍの眼球画像データや瞳孔径変化データ、音響刺激データなどがその都度格納されるＲＡＭ１０３、及び、ＣＰＵ１０１へ入力信号が入力されると共にＣＰＵ１０１からの出力信号が出力されるＩ／Ｏポート１０４を備えている。
そして、コンピュータ１００は、中継制御装置５２からの眼球画像信号や操作部１０６からの入力情報をＩ／Ｏポート１０４を通じてＣＰＵ１０１に取り込み、ＣＰＵ１０１にてＲＯＭ１０２に格納されている画像解析プログラムや音響刺激設定プログラムを実行し、ＲＡＭ１０３に眼球画像データや瞳孔径変化データを格納すると共に、Ｉ／Ｏポート１０４を介して表示画面１０５に必要情報を表示し、更に、中継制御装置５２を介して音響刺激発生装置２０に設定された音響刺激制御信号を送出するものである。
【００１６】
−自律神経機能検査−
次に、本システムを用いた自律神経機能検査について説明する。
図６は自律神経機能検査の処理過程を示すフローチャートである。
＜被験者特定＞
先ず、被験者Ｍを特定するために、検査者（医師）は、コンピュータ１００の操作部１０６にて被験者ＭのＩＤ番号、及び、氏名その他必要な情報を入力する。
＜音響刺激設定＞
次いで、検査者は、コンピュータ１００の表示画面１０５に音響刺激設定画面（例えば図８参照）を表示し、音響刺激発生装置２０から出したい音の周波数を設定し、その周波数での刺激時間（ａ）、全体の測定時間（ｂ）及び休息時間（ｃ）を決定する。
図８では、音の周波数が１０Ｈｚ、（ａ）音を出す時間が１．０秒、（ｂ）測定時間が５．０秒、（ｃ）休息時間が５．０秒になっている。
ここで、音響刺激のための音は、自律神経機能検査を行う上で瞳孔変化に顕著に影響するものが選定される。
更に、検査者は、音響刺激のために設定した音の繰り返し回数を適宜選択すると共に、設定したデータについては番号を指定して保存する。尚、保存したデータについては番号を指定して呼び出すことが可能である。
【００１７】
＜キャリブレーション（ｃａｌｉｂｒａｔｉｏｎ）＞
次いで、図４（ａ）に示すように、被験者Ｍにヘッドホーン２１及びゴーグル３０を装着した後、保持テーブル７０の位置決めホルダ（顎パッド７５，前頭部パッド７７）にて被験者Ｍの頭部を位置決めする。
この状態において、モニタ装置５１のモニタ画面の中央に眼球の瞳孔がくるように位置調整する。
尚、本実施の形態では、モニタ装置５１のモニタ画面はコンピュータ１００の表示画面１０５の一部にも表示される。
＜位置合わせ＞
この後、図示外の「位置合わせ」ボタンを押すと、音響刺激のない条件下で被験者Ｍの眼球画像に基づく瞳孔径変化を解析し、表示画面１０５に瞳孔径変化のグラフを表示する。
このような位置合わせにおいては、音響刺激のない無刺激化の状態にある瞳孔の基本径を把握することが可能である。
【００１８】
＜測定＞
この測定は例えば図７に示すステップに沿って処理される。
つまり、検査者は、図示外の「測定開始」ボタンを押すと、コンピュータ１００は、設定された音響刺激Ｎｏ．（保存番号）を選択し、これに基づいて音響刺激発生装置２０から設定通りに音響刺激のための音を発生させる。
すると、音響刺激発生装置２０からの音響刺激はヘッドホーン２１を介して被験者Ｍに伝達される。
このときの被験者Ｍの眼球の動きは撮像素子４０（４０ａ，４０ｂ）にて撮像され、眼球画像として画像変換器５０、中継制御装置５２を介してコンピュータ１００のＣＰＵ１０１に入力される。
この状態において、ＣＰＵ１０１は眼球画像に基づいて眼球の瞳孔径解析を行い、ＲＡＭ１０３に瞳孔径変化を音響刺激Ｎｏ．と関連付けて記録する。つまり、音響刺激情報と瞳孔径変化情報とを同期させて記録する。
【００１９】
ここで、瞳孔径解析は、例えば瞳孔径の最長径を複数回計測し、その平均瞳孔径を瞳孔径として決定する。尚、瞳孔径解析としては、これに限られるものではなく、瞳孔径を特定する解析法であれば適宜選定して差し支えない。
この瞳孔径解析がなされている間、これと並行して、表示画面１０５には音響刺激及び瞳孔径変化がリアルタイムにて表示される。
このときの表示画面１０５は、例えば図９に示すように、下側にグラフ表示欄、上側左欄にモニタ装置５１に対応するモニタ小画面、その上側右欄に、検査日、被験者ＭのＩＤ番号、氏名、左目、右目の瞳孔径変化の特性数値になっている。
ここで、左目、右目の瞳孔径変化の特性数値について簡単に説明すると以下の通りである。
・立ち上がりＩ：２相性の波形のうち１つ目の起始点の時間
・立ち上がりII：２相性の波形のうち２つ目の起始点の時間
・ピークＩ    ：２相性の波形のうち１つ目のピーク点の時間
・ピークII    ：２相性の波形のうち２つ目のピーク点の時間
・立ち上がり速度Ｉ：２相性の波形のうち１つ目の起始点における変化速度
・立ち上がり速度II：２相性の波形のうち２つ目の起始点における変化速度
尚、上記６項目を決定するのに操作部１０６の一つである位置指定器（所謂マウス）を操作し、任意の点に合わせる測定バーＫがグラフ表示欄に設けられている。
また、図９において、表示画面１０５のグラフ表示欄には、単数回の音響刺激Ｓ（図中一点鎖線で示す）が与えられた際の左目、右目の瞳孔径変化がグラフ表示されているが、これに限られるものではなく、複数回の音響刺激に対するデータを全てグラフ表示したり、あるいは、複数回の音響刺激に対するデータを平均化して表示したり、あるいは、音響刺激の時間変化も合わせて表示するなど、各種表示モードに応じてグラフ表示可能である。
尚、表示画面１０５のグラフ表示欄の縦軸は瞳孔径寸法（単位：ｍｍ）を示すものであるが、例えば前述した位置合わせにて瞳孔の基本径がグラフ表示欄の表示領域に収まるように表示領域の縦軸表示範囲を変更することは可能である。
【００２０】
この後、最終の音響刺激Ｎｏ．か否かをチェックした後、最終でない場合には、次の音響刺激Ｎｏ．を選択して同様な測定処理を行い、最終の音響刺激Ｎｏ．についての測定処理が終了するまで継続する。
＜グラフ表示＞
測定処理が終了すると、被験者Ｍの眼球画像、瞳孔径変化情報が音響刺激Ｎｏ．と関連付けた形でＲＡＭ１０３内に記録されているため、コンピュータ１００において図示外の「グラフ表示」ボタンを押すと、所定の被験者Ｍについての各種の音響刺激に伴う瞳孔径変化パターンがグラフ表示される。
【００２１】
＜検査評価＞
検査者は、このグラフ表示を見て、音響刺激と瞳孔径変化との関連性を見極め、自律神経機能検査の結果について評価する。
ここで、被験者Ｍの瞳孔径変化についての測定データは既定のＲＡＭ１０３内に記録されているが、例えば既存の表計算ソフトウエア（例えばＭｉｃｒｏｓｏｆｔ  Ｅｘｃｅｌ（マイクロソフト株式会社の商標）等）のファイル形式に変換してデータ保存するようにしてもよい。このようにすれば、既存の表計算ソフトウエア等を利用して被験者Ｍの自律神経機能検査の結果をより簡単に解析することが可能である。
また、本実施の形態では、検査者は、図６に示すグラフ表示を見て自律神経機能検査の結果を評価しているが、これに限られるものではなく、例えば音響刺激と瞳孔径変化との関連性につき多数の臨床例が得られた場合にあっては、これらの臨床例の結果に基づいて、自律神経機能検査に対する評価判断アルゴリズムが含まれる評価プログラムを作成し、この評価プログラムをＲＯＭ１０２内に予め格納しておき、ＣＰＵ１０１にて評価プログラムを実行することにより、評価判断アルゴリズムに基づいて音響刺激に伴う瞳孔径変化パターンの表示結果を評価するようにすることが好ましい。
この場合、検査者は、評価判断アルゴリズムによる評価を参照しながら、音響刺激に伴う瞳孔径変化パターンを評価することができる。
【００２２】
＜変形形態＞
また、本実施の形態では、測定処理の中で瞳孔径解析を行っているが、これに限られるものではなく、例えば瞳孔面積解析に置換し、これに基づいて音響性瞳孔反応検査を実現するようにしてもよい。
更に、本実施の形態では、検査者がコンピュータ１００を操作しながら、音響性瞳孔反応検査を行うようにしているが、これに限られるものではなく、例えば図１０に示すように、ネットワーク１５０経由で検査管理センタに集中管理用コンピュータ２００を設置しておき、各医院のコンピュータ１００（具体的には１００(1)，１００(2)，１００(3)…１００(n)）にて集中管理用コンピュータ２００からダウンロードした検査プログラムを実行するようにし、そこで得られた音響刺激を伴う瞳孔変化（瞳孔径変化、瞳孔面積変化）の結果データを集中管理用コンピュータ２００にネットワーク１５０経由にてアップロードするようにしてもよい。尚、図１０中、２１０は集中管理用コンピュータ２００に付設される記憶装置で、被験者Ｍの各種データが格納されている。
【図面の簡単な説明】
【００２３】
【図１】本発明に係る音響性瞳孔反応検査システムの概要を示す説明図である。
【図２】本発明が適用された音響性瞳孔反応検査システムの実施の形態１を示す説明図である。
【図３】本実施の形態で用いられる被験者の検査環境設備の一例を示す説明図である。
【図４】（ａ）は本実施の形態における被験者の検査時の状態を示す説明図、（ｂ）はゴーグル内の構造例を示す説明図である。
【図５】図２のコンピュータの構成例を示す説明図である。
【図６】本実施の形態で行われる自律神経機能検査の処理過程を示すフローチャートである。
【図７】図６の測定過程の詳細を示すフローチャートである。
【図８】図６の「音響刺激設定」を行うための操作画面例を示す説明図である。
【図９】図６の「測定」時の表示画面例を示す説明図である。
【図１０】実施の形態１に係る音響性瞳孔反応検査システムをネットワーク経由で実現する変形形態を示す説明図である。
【符号の説明】
【００２４】
１…音響刺激生成手段，２…音響刺激伝達手段，３…眼球撮像手段，４…瞳孔変化解析手段，５…記録手段，６…表示手段，７…位置決めホルダ，８…ゴーグル，９…照度調整手段，１０…眼球画像表示手段，１１…評価手段，Ｍ…被験者
【図１】
0004674229.tif 000002
【図２】
0004674229.tif 000003
【図３】
0004674229.tif 000004
【図４】
0004674229.tif 000005
【図５】
0004674229.tif 000006
【図６】
0004674229.tif 000007
【図７】
0004674229.tif 000008
【図８】
0004674229.tif 000009
【図９】
0004674229.tif 000010
【図１０】
0004674229.tif 000011